Podtech/llm-jp-corpus-v4-ja_patent huggingface dataset:
(57)【要約】【課題】審美性に優れていると共に、衝撃力に強く、かつ衝撃吸収性の大きい、自動車用フロントグリル・パネルを提供することにある。【解決手段】添付図面の図１の模様を有する、はちの巣状の自動車用フロントグリル・パネル。【選択図】図１
2007084026.tif 000002
【特許請求の範囲】
【請求項１】
添付図面の図１の模様を有することを特徴とする、はちの巣状の自動車用フロントグリル・パネル。
【発明の詳細な説明】
【技術分野】
【０００１】  本発明は、はちの巣状の自動車用フロントグリル・パネルに関する。
【背景技術】
【０００２】  従来、自動車のフロントグリルに用いられるパネルは、専ら審美性の面から検討されているに過ぎなかった。そして近年の自動車のフロントグリルは大きくなる傾向にあり、それに伴ってフロントグリル・パネルが注目されるようになった。
【発明の開示】
【発明が解決しようとする課題】
【０００３】  そこで本発明者は、フロントグリル・パネルの審美性は勿論それ以外に衝撃に強く、かつ衝撃力の吸収力の大きいパネルについて種々研究を重ねた結果本発明を完成するに至った。
【課題を解決するための手段】
【０００４】  すなわち、本発明は、後述する添付図面の図１の模様を有する、はちの巣状の自動車用フロントグリル・パネルに関する。
【発明の効果】
【０００５】  本発明のはちの巣状の自動車用フロントグリル・パネルは、審美性に優れていると共に、衝撃に強くかつ衝撃力の吸収性に優れている。また、はちの巣状の自動車用フロントグリル・パネルは、均等に空気が抜けると共に抜けた空気の分散性に優れている。【０００６】  本発明のはちの巣状の自動車用フロントグリル・パネルの模様は、図２に示す正六角形の集合体からなる模様を有する定規を２枚重ね、中心点を軸として一方の定規を３０°回転させることによって作出することが出来る。【０００７】  本発明の自動車用フロントグリル・パネルの素材としては、金属、プラスチック、炭素繊維入りプラスチック等が用いられる。
この自動車用フロントグリル・パネルの素材に前記亀甲模様の重ね合わせで合成される模様１を残し、白地部分を切り抜き、切り抜き部２とし、はちの巣状とすることによって発明の自動車用フロントグリル・パネルが調整される。
この場合、プラスチックを素材とするときは型枠によって成型することができ、また金属板の場合はプレス等で型抜きする等して、はちの巣状にして調整することができる。【０００８】  本発明のフロントグリル・パネルの模様を作出するため図２に示す定規の基本形である正六角形は、１２０°が６つある内角の和７２０°を有し、２つの異なった対角線を有する唯一の幾何である。すなわち１辺に対し、対角線比が１．７３２（√３）と２の比を有している。
本発明は、この比を「宇宙比」と呼称した。
これに類似した理論として、正方形がある。正方形は１つの内角が９０°の角が４つで３６０度の内角の和を有し、一辺の長さと対角線比は１．４１４（√２）であり、一般的に白銀比と称されている。
また正五角形は１つの内角が１０８°の角が５つある内角の和が５４０°であり、正五角形の一辺の長さとの対角線比は１．６１８２であり、一般的に黄金比と称されている。【０００９】  宇宙比を有する正六角形を連ねた図形を２枚重ね合わせ、一方を中心点を軸に回転させることによって作出される模様は、無限円環であり、銀河宇宙や暗黒宇宙のボイドに相似する、宇宙の秩序が働く物事の存在と言える。【００１０】  前記のようにして調整された自動車用のフロントグリル・パネルは、使用する自動車のフロントグリルの形状に合わせて使用することができる。
【図面の簡単な説明】
【００１１】
【図１】本発明のはちの巣状の自動車用フロントグリル・パネルの平面図。
【図２】本発明のはちの巣状の自動車用のフロントグリル・パネルの模様を作出するための定規の一例を示す。
【符号の説明】
１・・・・模様
２・・・・切り抜き部
【図１】
2007084026.tif 000003
【図２】
2007084026.tif 000004
(57)【要約】【課題】スチールロッカーや収納棚の高い位置にある棚段に収納されている組立箱でも容易に手元に引き寄せて取り出すことができるようにする。【解決手段】本発明に関わる組立箱は、段ボール紙や厚紙等の紙製板体を折り曲げてなり、前板１、後板２、左右一対の側板３、４及び底板５を有する組立箱であって、一方の側板３の下縁に近い部分に貫通孔６を有し、その貫通孔６に、プラスチック製の平らな基板７と該基板と一体化しており且つ基板に対して垂直方向に配置されている薄板状のつまみ板８とよりなる治具９のつまみ板８が箱の内側から外側に突き出すように取り付けられていることを特徴とする。【選択図】  図１
2007084147.tif 000002
【特許請求の範囲】
【請求項１】
段ボール紙や厚紙等の紙製板体を折り曲げてなり、前板１、後板２、左右一対の側板３、４及び底板５を有する組立箱であって、一方の側板３の下縁に近い部分に貫通孔６を有し、その貫通孔６に、プラスチック製の平らな基板７と該基板と一体化しており且つ基板に対して垂直方向に配置されている薄板状のつまみ板８とよりなる治具９のつまみ板８が箱の内側から外側に突き出すように取り付けられていることを特徴とする組立箱。
【請求項２】
プラスチック製の平らな基板７と該基板と一体化しており且つ基板に対して垂直方向に配置されている薄板状のつまみ板８とよりなる治具９が、プラスチックの一体射出成型品である請求項１に記載の組立箱。
【請求項３】
プラスチック製の平らな基板７と該基板と一体化しており且つ基板に対して垂直方向に配置されている薄板状のつまみ板８とよりなる治具９が、プラスチックシートをアルファベットのＥの字のように、且つそのＥの字の二番目の横棒の長さが一番目及び三番目の横棒の長さより長い形状に打ち抜いたもので、その二番目の横棒の部分が残りの部分に対して直角方向に折り曲げられた構成のものである請求項１に記載の組立箱。
【請求項４】
プラスチックシートをアルファベットのＥの字のように、且つそのＥの字の二番目の横棒の長さが一番目及び三番目の横棒の長さより長い形状に打ち抜いたもので、その二番目の横棒の部分が残りの部分に対して直角方向に折り曲げられた構成のものである組立箱引き寄せ用治具９。
【発明の詳細な説明】
【技術分野】
【０００１】  この発明は、書類を分類し保存するために用いられている組立箱に関するものである。
【背景技術】
【０００２】  段ボール紙や厚紙等の板体を折り曲げてなり、前板１、後板２、左右一対の側板３、４及び底板５を有する組立箱は従来から広く使用されている。
【特許文献１】実公昭６３−２２８９６号公報
【０００３】  このような紙製組立箱は軽量で安価であるため大量の書類を取り扱うオフィスで称揚され、数十個、数百個の単位で使用されている。この組立箱は通常多段のスチールロッカーや収納棚に収蔵されている。低い段に収納されている箱の取り出しは容易であるが、高い方の段に奥まって収納されている箱の取り出しは、背の低い者や女性にとっては簡単ではない。
【発明の開示】
【発明が解決しようとする課題】
【０００４】
【０００５】  スチールロッカーや収納棚の高い位置にある棚段に収納されていても、容易に手元に引き寄せて取り出すことができる治具を備えた組立箱及び治具に関するものである。
【課題を解決するための手段】
【０００６】  本発明に関わる組立箱は、図１を参照して説明すると、段ボール紙や厚紙等の紙製板体を折り曲げてなり、前板１、後板２、左右一対の側板３、４及び底板５を有する組立箱であって、一方の側板３の下縁に近い部分に貫通孔６を有し、その貫通孔６に、プラスチック製の平らな基板７と該基板と一体化しており且つ基板に対して垂直方向に配置されている薄板状のつまみ板８とよりなる治具９のつまみ板８が箱の内側から外側に突き出すように取り付けられていることを特徴とする。
【発明の効果】
【０００７】  スチールロッカーや収納棚の高い位置にある棚段に収納されている組立箱を、治具のつまみ板８を指先で挟んで引くことにより、容易に手元に引き寄せて取り出すことができる。【０００８】  プラスチック製の平らな基板７と該基板と一体化しており且つ基板に対して垂直方向に配置されている薄板状のつまみ板８とよりなる治具９は、プラスチックの一体射出成型品として得ることができる。図３、４、５は、そのようなプラスチックの一体射出成型品を異なる方向から見た図である。
【発明を実施するための最良の形態】
【０００９】  プラスチック製の平らな基板７と該基板と一体化しており且つ基板に対して垂直方向に配置されている薄板状のつまみ板８とよりなる治具９は、プラスチックシートから打ち抜いて得ることができる。図６、７はその説明図である。プラスチックシートをアルファベットのＥの字のように、且つそのＥの字の二番目の横棒の長さが一番目及び三番目の横棒の長さより長い形状に打ち抜いたもので、その二番目の横棒の部分が残りの部分に対して直角方向に折り曲げられた構成のものである。【００１０】  図８は、図７に示された治具が組立箱の側面に挿入設置された状態を示す図である。
【図面の簡単な説明】
【００１１】
【図１】  本発明の実施態様を示す図である。
【図２】  本発明の対象となる組立箱の右側面図で、貫通孔の位置を示す。
【図３】  本発明で使用する組立箱引き寄せ用の治具を上から見た図である。
【図４】  図３に示した治具を横から見た図である。
【図５】  図４に示した治具を別方向から見た図である。
【図６】  プラスチックシートから打ち抜かれる治具の平面図である。
【図７】  図６に平面図で示された治具を点線の位置で折り曲げて基板７とつまみ板８を直角にした状態（治具の使用状態）を示す。
【図８】  図７に示された治具が組立箱の側面に挿入設置された状態を示す図である。
【符号の説明】
【００１２】１  組立箱の前板
２  組立箱の後板
３  組立箱の左側板
４  組立箱の右側板
５  組立箱の底板
６  貫通孔
７  基板
８  つまみ板
９  治具
【図１】
2007084147.tif 000003
【図２】
2007084147.tif 000004
【図３】
2007084147.tif 000005
【図４】
2007084147.tif 000006
【図５】
2007084147.tif 000007
【図６】
2007084147.tif 000008
【図７】
2007084147.tif 000009
【図８】
2007084147.tif 000010
(57)【要約】【課題】      生花“花びん”“箱”“袋”の３役を兼ねた包装ケースです。【解決手段】  紙製の箱の開口部に、必要に応じて取り外しが出来る色付きシートを取り付け、持ち運び用のひもを付けた、花びん兼用生花包装ケースです。【選択図】    図１
2007084145.tif 000002
【特許請求の範囲】
【請求項１】
水分を通さない箱の開口部に、必要に応じて、取り外しが出来る色付きシートを取り付け、持ち運び用のひもを付けた、花びん兼用生花包装ケースである。
【発明の詳細な説明】
【技術分野】
【０００１】  本発明は、生花用“花びん”“箱”“袋”の３役を兼ねた包装ケースです。
【背景技術】
【０００２】  従来、生花の包装はほとんどが包装紙（シート）による包装で、注意しながら持ち帰っていた。
【発明の開示】
【発明が解決しようとする課題】
【０００３】  そのために次のような問題点があった。
持ち帰る際に、つぶれやすく、痛みやすい。また、花束は目立つため、他人の目が気になり、持ち帰るのが恥ずかしい。
本発明はこれらの問題点を解決するためになされたものである。
【課題を解決するための手段】
【０００４】  箱の内側に水に代わるゼリー状の物を入れる為、水をはじくような成分を塗り（例：牛乳パック）、箱の開口部に必要に応じ、取り外しが出来る色つき（透明）シートを取り付け、持ち運び用のひもを取り付けた花びん兼用生花包装ケースである。
【発明の効果】
【０００５】  本発明は、生花を持ち運ぶ時、“花びん”“箱”“袋”の３役を兼ねた生花を長持ちさせ、痛めず、かつ、他人の目が気にならない生花包装ケースである。
【発明を実施するための最良の形態】
【０００６】  以下、本発明の実施の形態について説明する。
（イ）中に水分を入れても水漏れしない紙製の箱（１）の開口部に、必要に応じて取り外せる色付きシート（２）を取り付ける
（ロ）持ち運び用の為に、箱（１）にひも（３）を取り付ける
（ハ）紙製の箱（１）に水の代わりにゼリー（４）を入れる。
本発明は、以上の構成よりなっている。
本発明を使用する時は、花屋などで、生花を販売する時の花びん兼用生花包装ケースで、病院に見舞いに行く時、花びんの有無を心配する必要が無い。また、記念日などのイベントや結婚式の引き出物の花を持ち帰る時、花束を持っているのが恥ずかしい人にも適している。さらに、ケースの形状を細長くすることで、１〜２本でも見栄えが良く、プレゼントできる等、自由な利用方法が出来る。
【図面の簡単な説明】
【０００７】
【図１】    本発明の使用状態を示す斜視図
【図２】    本発明の斜視図
【符号の説明】
【０００８】    １  箱
２  色つき（透明）シート
３  ひも
４  ゼリー
【図１】
2007084145.tif 000003
【図２】
2007084145.tif 000004
(57)【要約】【課題】  つり銭を一括して返却するための専用の袋を提供する。【解決手段】  つり銭を顧客に返却する場合に、紙幣、硬貨、レシート類などを、収納物が見える簡易な専用袋にまとめて入れて、一括して受け渡しができるようにしたことを特徴とするつり銭返却袋。【選択図】  図１
2007084148.tif 000002
【特許請求の範囲】
【請求項１】
前面が透過性シートよりなり、紙幣、硬貨、レシート等を収納可能な袋本体と、前面から見える広告印刷部の裏面シートより構成される、つり銭返却袋。
【発明の詳細な説明】
【技術分野】
【０００１】  本発明は、売店などでつり銭を顧客に返却する場合に、紙幣、硬貨、レシート類などを、収納物が見える簡易な専用袋にまとめて入れて、一括して受け渡しができるようにしたものである。
【背景技術】
【０００２】  つり銭の受け渡しは、返却用の袋などを媒介することなく、紙幣、硬貨、レシート類などを直接に手渡して返却していた。
【発明の開示】
【発明が解決しようとする課題】
【０００３】  そのために、次のような問題点があった。
（イ）つり銭の受け渡しは、紙幣をまず先に手渡し、そのあと硬貨を手渡す手順で行うか、また紙幣の上に硬貨を乗せて手渡す方法で行うのが通常であった。前者の場合は受け渡しが二度手間となり、後者の場合は硬貨を落とさないよう受け渡しに注意を要した。
（ロ）紙幣や硬貨に直接触れるので、飲食関連の売店での受け渡しは衛生上好ましくなかった。
本発明は、これらの問題点を解決するためになされたものである。
【課題を解決するための手段】
【０００４】  前面から収納物が見える透過性シートよりなり、紙幣、硬貨、レシート類などを収納可能な袋とする。裏面シートには広告や商品案内などの印刷を施す。つり銭などを一括して受け渡しができるようにした、つり銭返却袋である。
【発明の効果】
【０００５】  つり銭を顧客に返却する場合に、紙幣、硬貨、レシート類などを一括して受け渡しができるようになり、受け渡し時間の短縮化が図れる。つり銭は専用袋に入れて受け渡しされるため、顧客は紙幣や硬貨に直接触れることなく、つり銭を受け取ることができるので、衛生上も好ましい。また裏面シートに広告や商品案内などの印刷を施すことにより、宣伝効果もある。
【発明を実施するための最良の形態】
【０００６】  以下、本発明の実施の形態について説明する。
（イ）収納した紙幣（３）、硬貨（４）、レシート（５）が見えるように、セロファン紙などの透過性シート（２）と裏面シート（１）で形成する袋状の入れ物とする。
（ロ）裏面シート（１）には、必要に応じて広告や商品案内などの印刷を施すことにより、宣伝効果を生むようにする。
（ハ）裏面シート（１）は、紙幣（３）を折らない状態で収まる大きさの長方形をしたものである。
（ニ）透過性シート（２）上部の開口部は、つり銭を入れ易いように斜め切り口の構造とする。また透過性シート（２）の長さは裏面シート（１）よりも若干短めにして、幅は裏面シート（１）と同幅となっている。
（ホ）透過性シート（２）は裏面シート（１）に接着させて、袋状を形成する。
本発明は以上のような構成で、これを使用するときは、透過性シート（２）と裏面シート（１）で形成する袋状の中に、紙幣（３）、硬貨（４）、レシート（５）を収納して受け渡しをする。
【図面の簡単な説明】
【０００７】
【図１】  本発明の使用状態を示す正面図
【図２】  正面図
【図３】  側面図
【図４】  背面図
【符号の説明】
【０００８】  １  裏面シート
２  透過性シート
３  紙幣
４  硬貨
５  レシート
６  透過性シート接着部
【図１】
2007084148.tif 000003
【図２】
2007084148.tif 000004
【図３】
2007084148.tif 000005
【図４】
2007084148.tif 000006
(57)【要約】【課題】バンドの供給・引戻しロールと引締めロールを有する半自動梱包機は、夫々のロールをベルトとプーリによって減速駆動していたため、機体の小型・軽量化に限度があった他、組立て調整が容易でなく製造コストの低減が図れなかった。  本発明は、モータを直結して組込みが容易なバンド駆動装置を提供する。【手段】モータＭ１に直結した減速機の取付面から供給・引戻しロール7Ａの駆動軸８と引締めロール9Ａの駆動軸10を並行突出させ、減速機ケース12の取付面12Ａをシーラユニット取付基板20、21を共用して固定する。【選択図】  図３
2007084131.tif 000002
【特許請求の範囲】
【請求項１】
バンド駆動用正逆転モータに減速歯車列を収容した減速機が直結連結され、該減速機ケースの取付面から並行に突出されて同方向に回転する第１、第２の駆動軸と、前記取付面が固定部材に取付けられると共に前記第１の軸にバンド供給・引戻しフィードロールが軸着され、前記第２の軸に引締めテンションロールが軸着されてなる半自動梱包機用バンド駆動装置。
【請求項２】
固定部材がシーラユニット取付板の延長部である請求項１記載の半自動梱包機用バンド駆動装置。
【発明の詳細な説明】
【技術分野】
【０００１】
この発明は、半自動梱包機においてバンドを供給し又は引戻し、更に引締めを行うバンド駆動装置に関する。
【背景技術】
【０００２】
自動機においてはバンド送りロールと引戻しロールが独立して設けられている（特許文献１）が、半自動梱包機においては、機器の小型化や軽量化を図るため、バンド送りロールと引戻しロールを１個の正逆転フィードロールに兼用させ、これらをシーラユニットのカム軸モータでベルト伝動によって駆動させ、引締め用テンションロールは別個の専用モータによって駆動していた。  
【０００３】
この装置では、ベルトとプーリによって回転力を伝えている上、プーリ軸にクラッチブレーキを介装しているため、機器の小型化に限度があり、また、装置の組立てと調整に技術力と時間を要し、非能率で不経済であった。
【０００４】
【特許文献１】特開２０００−２９６８０９公報  （図３）
【発明の開示】
【発明が解決しようとする課題】
【０００５】
本発明は、バンドの引締めロールが常にバンド供給・引戻しロールの回転方向と同一であることに鑑み、これらのロールを共通のモータで減速駆動するようにしてユニット化し、更に該ユニットをシーラユニット取付板の延長部に固定することによって組立てと調整作業を容易化し、半自動梱包機全体の小型軽量化を実現するものである。
【課題を解決するための手段】
【０００６】
本発明バンド駆動装置は、バンド駆動用正逆転モータの回転軸に直結された歯車列減速機と、この減速機ケースの取付面から第１、第２の駆動軸が所定間隔で並行に突出し、前記第１の軸にはバンドフィードロールを軸着すると共に前記第２の軸にはテンションロールを軸着し、前記取付面を機枠に固定してなるものである。  更に、取付面をシーラユニットの取付板延長部に固定することによって一層の小型化を実現するものである。
【発明の効果】
【０００７】
ケース取付面には予め取付孔が穿設されているから固定板に対する取付位置調整や軸心調整が不要になり、取付作業が大幅に改善される。
【発明を実施するための最良の形態】
【０００８】
図中、1は移動可能な半自動梱包機、2は作業天板、3はシーラユニットであってそれ自体の構成及び動作は周知であるから説明は割愛する。  4は自由回転するバンドリール、5は中間ガイドロール、6はバンド挿入口、7Ａは正逆転フィードロール、8はその駆動軸、7Ｂは従動ロールであって常時一定の圧力又は引戻し時に強弱２段の切換え圧力で圧接されている。  9Ａは引締め駆動ロール、10はその駆動軸、9Ｂは引締め従動ロールである。
【０００９】
図２乃至図４において、2Ａはバンド案内溝、Ｍ１はバンド駆動モータ、Ｍ２はシーラユニットのカム軸モータである。  11はモータＭ１に連結する減速機であってケース12内に減速歯車列Ｇと常に同方向に回転する２本の駆動軸8、10を収容支持してモータ軸13に連結している。  減速機は、５枚の中間歯車で構成され、供給・引き戻しロールを軸着している第１軸の回転数は、450〜550ｒｐｍ（モータ軸回転数の約1/3）、第２軸の回転数は、25〜30ｒｐｍである。
【００１０】
２本の駆動軸8、10は、ケース12の取付面12Ａから突出され、夫々、正逆転フィードロール7Ａと引締め駆動ロール9Ａを軸着している。  フィードロール7Ａに接する従動ロール7Ｂは、バンドＢをリールから引出せるトルクが得られるような十分な圧力で圧接される。  ケース12の取付面12Ａは、シーラユニット3の垂直取付基板20と一体の延長部21の取付面に固定するのがよい。  なお、減速機ケースのモータＭ１とカム軸モータＭ２を有するシーラユニット3の間隔及び位置関係は基板20の延長部21の設計によって任意に変更できる。
【図面の簡単な説明】
【００１１】
【図１】半自動梱包機の要部構成を示す正面図
【図２】梱包機の一部平面図
【図３】本発明バンド駆動装置の組付状態を示す斜視図
【図４】減速機の縦断側面図
【符号の説明】
【００１２】
３  バンドリール
７Ａ  供給・引戻しロール
７Ｂ  従動ロール
８  駆動軸
9Ａ  引締めロール
１０  駆動ロール
Ｍ１  バンド駆動モータ
Ｍ２  カム軸モータ
１２  減速機ケース
２０  シーラユニット取付基板
２１  延長部
【図１】
2007084131.tif 000003
【図２】
2007084131.tif 000004
【図３】
2007084131.tif 000005
【図４】
2007084131.tif 000006
(57)【要約】【課題】  抗癌剤使用後の副作用が大きな問題であり専門医もその処方に苦慮している。活性アミグダリンと低濃度で高導電性のある酢酸を用いて癌細胞に多量に存在するβ−グルコシダーゼを分解反応で消費しつくして癌細胞を分解消滅させることを可能にするものである。【解決手段】  検査設備の整っている専門医院との連携で、日常の食生活に一貫した処方で健康と生命の一大問題の一つを解決に向ける道筋が生まれる。【選択図】          図２
2007084521.tif 000002
【特許請求の範囲】
【請求項１】
次式
【化１】
2007084521.tif 000003
で示されるアミグダリン（ａｍｙｇｄａｌｉｎ）はビワの葉・種子や杏類の天然植物に存在する不活性で変化しにくい物質である。小型高級竹炭焼成炉茨城のかぐや姫（登録商標）で赤外線低温加熱による活性化抽出を特徴とするする活性アミグダリンと組成物。
【請求項２】
次式
【化２】
2007084521.tif 000004
で示されるβ−グルコシダーゼ（β−ｇｌｕｃｏｓｉｄａｓｅ）は癌細胞に多量に存在している。低濃度の酢酸を飲用して生体膜の導電率を高め、β−グルコシダーゼとの能動反応を促進させて癌細胞を分解消滅させることを特徴とする方法に関する。
【請求項３】
さらにこれによる副作用のないことと鎮痛効果を伴うことを特徴とする方法に関する。
【発明の詳細な説明】
【技術分野】
【０００１】    本発明は、ヒト細胞と組織に関する抗癌作用と鎮痛作用をビワの種子や葉・杏類の天然植物成分アミグダリンの活性抽出と生体膜を高導電化させて能動反応を促進させる物理的・化学的方法により癌細胞の分解消滅に関する。
【背景技術】
【０００２】
【特許文献１】  特開２００５−８９７２１号広報（第２−３、第１図）
【非特許文献１】  宮崎利夫著「現代薬学シリーズ９  物理化学」朝倉書店１９９５年１０月５日、ｐ．７９、ｐ．１３３
【発明の開示】
【発明が解決しようとする課題】
【０００３】      癌細胞生体膜に存在するβ−グルコシダーゼとの分解反応が確実で速いこと。そして、癌細胞の発生場所によらない効果を示すこと。副作用の生じないこと。鎮痛作用を伴うこと。
【課題を解決するための手段】
【０００４】      ベンゼン環は振動状態である。ベンゼン環をもつアミグダリン等の化合物は天然での植物成長で多種多量に重合がすすむと不活性な性質になる。それの活性化には、小分子化して必要な機能活性成分にすれば良い。それには、赤外線低温加熱による成分抽出が適当である。【０００５】      上記の赤外線低温加熱には、温度制御が可能な特許文献１を用いる。【０００６】      癌細胞生体膜に多量に存在するβ−グルコシダーゼの能動作用を高める必要がある。【０００７】    それには、低濃度の酢酸を飲用して生体膜の導電率を高める。【０００８】    活性アミグダリンはβ−グルコシダーゼと物理・化学反応して青酸とベンズアルデヒドを生じ、代謝経路でローダネーゼ酵素により中和され無害物質チオシアネートになる。
【発明の効果】
【０００９】      生体を構成する細胞から生じた悪性細胞の無制限の増殖と周囲組織への侵襲、そして、他部への転移をする癌細胞を分解消滅に至らせる。また、副作用がなく鎮痛作用の効果を伴う。
【発明を実施するための最良の形態】
【００１０】      癌の専門医から悪性腫瘍や癌の診断宣告を受けた人が民間療法として、本発明を処方実施する。処方して半月経過後その専門医の診断を受け、悪性細胞増殖が停止する診断結果を受ける。そして、その半月経過後に精密診断を受けて悪性細胞消滅の診断確認を受ける。その後の最終診断により癌患者でないことに至る。また、診断経過で鎮痛軽減の確認も可能になる。
【実施例１】
【００１１】      １４年前に乳癌の診断を受け、キチンキトサンを主に使用した民間療法で対処してきた癌患者が平成１５年６月から疲労度が極めて大きくなり、１２月大学病院専門医から肺と脊髄に転移、末期癌の診断を受けた。そして、１２月１５日から前記の処方で連日にわたる民間療法を試みた。それにより、平成１６年１月の診断で癌細胞増殖停止の診断を受け、２月に癌細胞消滅の診断を得た。３月の診断で癌細胞が無いことが診断により確認され、癌患者ではないことになった。当事者は現在も健康状態を継続している。
【実施例２】
【００１２】      同類癌患者において他に２件の実施で、２ケ月で癌細胞消滅の確認を得た。
【実施例３】
【００１３】      関節リウマチで痛みが激しく動けない人に民間療法で前記同様の処方をしたところ、２週間で痛みが軽減されて歩けるようになり、１ケ月後には普通の動きが可能になった。
【産業上の利用可能性】
【００１４】      人間の食生活に容易に組み込めるので、専門医療機関と診断や精密検査で連携することにより、癌患者の生命はもとより、家族や関係者の大切なことが継続できる。全世界の人間がこれを利用できる。【００１５】      専門業界のさらなる研究により、医薬品開発に進むことが望まれます。
【図面の簡単な説明】
【００１５】      ビワ葉・種子から赤外線低温加熱で抽出する装置とその機能成分アミグダリンの分子構造図、及び、癌細胞に多量に存在するβ−グルコシダーゼの分子構造図と低濃度酢酸の高導電率を示す数値表とそのグラフ。【図１】      特許文献１  特開２００５−８９７２１号広報（第２−５、第１図）
【図２】      機能成分活性アミグダリンの分子構造図
【図３】      癌細胞に多量に存在するβ−グルコシダーゼの分子構造図
【図４】      低濃度酢酸の高導電率を示す数値表とそのグラフ
【図１】
2007084521.tif 000005
【図２】
2007084521.tif 000006
【図３】
2007084521.tif 000007
【図４】
2007084521.tif 000008
(57)【要約】      （修正有）【課題】化粧品による被覆では不可能だった皺取り方法の提供。【解決手段】皺とは皮膚面から神経と血管で繋がった体内の器官の衰弱を知らせる信号であること、その皺に必要なものを補給すると衰弱器官に運ばれて健康な容貌を回復させるため、世界各地産の薬草であるゲンノショウコを集めて交配実験を重ねて作出した新品種「カジキ・ゲンノショウコ・シワ」エッセンスに皮下組織が必要とする蛋白質やビタミン類を加え、眼の下の深い皺などに塗布して皺を除去する。この方法により、衰弱器官の細菌を殺し毒物を消毒し、また養分を補給したことで、その衰弱器官の機能が回復し、これまで化粧品による被覆では不可能だった皺取りができるようになる。【選択図】なし【特許請求の範囲】
【請求項１】
皮膚から体内の器官に栄養を吸収させる美容健康法
【発明の詳細な説明】
【発明の詳細な説明】
【技術分野】
【０００１】  新たな化粧品の開発を目指して、各国で熾烈な研究競争が続いているが、なかでも顔面、ことに眼の下の皺は、老化と不健康の印象を強く与えるので、最も忌み嫌われながら、皮膚を化粧品で塗り隠すか、皮下注射で膨脹させて、一時的に誤魔化すか、外科手術によって皮膚を緊張して消すしか方法がなく、一度発生した皺は、根本的に除去することは不可能だとされてきた。
本発明は永年の皺の生理研究で発見した、「皺とは皮膚面から、良導絡と呼ばれる神経と血管で繋がった体内の器官の、『ツボ』に相当するもので、その体内器官の老化や衰弱を知らせるための信号として皮膚に発生したものである」こと、だからその皺の部分に、体内器官が必要とするものを補給すると、それが衰弱した器官に運ばれて、疲労や衰弱を回復し、老化を止めて若返らせ、健康な容貌を回復する能力があること等を発見し、実験によってその変化を確認したので、この知識を活用して皺を除去するため、皺の部分に必要とするものを補給して、皮膚から吸収させて健康を回復することで、体内の原因ごと皺を除去して、健康と肌の若々しさと肌の美観を維持する、健康維持補強と美容に関する。
【背景技術】
【０００２】  これまで眼の下の皺を取る方法は、ドーラン等の化粧品で塗り潰して覆い隠すか、形成外科手術によって皮膚を緊張させて整形するか、コラーゲン等の異物を皮下に注射して皮膚を膨脹させて消すしかなかったが、ドーラン等で塗り潰すものは、短時間の演劇や映画撮影用としては使えても、近距離で他人に接すると、かえって不快感を与え、頻繁に化粧直しを必要とし、日常生活に使用することはとうてい不可能である。
また外科手術による整形は、不快な違和感が後遺症として残り、また非常に高額な整形費用がかかり、ことに皮下注射によるものは短期間で形が崩れはじめ、長くて数か月しか保たないため、高価な加療費を全額本人負担で、２〜３か月ごとに支払わねばならず、いずれもごく一部の高額所得者を除いては実行不可能である。しかもこれらの３方法は、いずれも一時的な誤魔化しに過ぎず、人類の大半が望む眼の下の皺を本当に取るということは、絶対に不可能と言っていい状態のまま今日に至った。
【発明が解決しようとする課題】
【０００３】  これを解決するには、家庭で化粧をしたり、食事をとるように手軽に利用でき、使用感も自然なもので、かつ使用結果が適確で、視覚的にはもちろん見えない体内の原因除去の効果も明快なもの、医学的にも、副作用がなく、安全で危険のない、原材料も豊富で安価、製造経費も低廉であることなどが必須要件で、これらを満たしたものを、早急に実用化することが課題である。
【課題を解決するための手段】
【０００４】  この条件を完全に満たす決定的手段として本発明は、古来非常に有名な、内臓疾患に強い治癒力をもつ薬草ゲンノショウコの、さらなる改善を求めて、本邦のみならず東南アジア各地産の近似種を集めて、長期にわたり交配実験を重ねて作出した、殺菌力と浸透力の倍加した、有益養分の濃い品種カジキゲンノショウコの中から、とくに内臓が必要とする必須栄養を豊富にもつ、「カジキ・ゲンノショウコ・シワ」をエッセンス化して、コラーゲンなどの皮下組織構成物質を加え、眼の下の深い皺に塗布することで、その深い皺を除去することに、著しい効果を挙げることに成功した。
それは皺が形成される原因の、衰弱した内臓器官に、強力に浸透して殺菌消毒すると同時に、欠乏していた養分を補給して、活性化させる手助けをし、その器官本来の健康と機能とを急速に回復させたため、今度はその器官から分泌された物質が顔面の皺の皮下組織に送りこまれて、塗布した養分と共に皮膚と皮下組織そのものを活性化し若返らせたためである。
これはこの植物の固有体液を、皺から皮下に浸透させて、それが衰弱器官に寄生している細菌を殺し毒物を消毒し、また凅渇していた養分を補給したことで、その器官がもつ本来の機能が回復したために分泌が復活したもので、これまでの化粧品による簡単な被覆のみでは、絶対に不可能視されていた、眼の下の深い皺取りが、この皮膚からの栄養浸透法「皮膚補給健康食法」によって、完全にできるようになったために、過去にはできなかった皮下組織復活と皮膚の盛上がりとが実現し、深かった皺の痕跡まで除去することが可能になり、的確で本格的な顔面の真の若返りが実現したのである。
【発明を実施するための最良の形態】
【０００５】  本発明を実施するには、主原料であるカジキ・ゲンノショウコの液汁を、皮下組織の必要とする蛋白質とビタミン類の混合物とからなる有機食品と、触媒としての酵素と混合、密閉容器に入れて貯蔵、販売する。その使用方法は皺の部分に塗布するので、口で食べる一般食品と異なるが、あくまで食品であることを強く心に銘記して、有害物を絶対に使用しない鉄則を守る。
【発明の効果】
【０００６】  本発明が可能にした「眼の下の皺取り」は、これまで化粧品分野の問題と誤解して取り扱われたために、真の皺の性質がわからず、当然、研究成果が挙るはずがなく、その商品化は不可能とされてきた。従って既販の競争品は全世界を見ても皆無で、生産販売は本発明によるものが最初である。だが、本発明による製品の効果は数分で一目瞭然に現われて誰の眼にも明かなので、その需要は人種国籍を問わないので、本発明商品が全世界市場を独占でき、巨額の外貨を獲得できるため、我が国の経済力を画期的に高める経済効果が高く、また、世界の人々に我が国の文化の高さを強く意識させて、親密感を高め、かつて私たちがフランスに対して抱いたような尊敬感を、新たに醸成する効果もあるので、外交上にも貢献する。一見、単純な発明にみえるが、これが我が国の国益に及ぼす効果は極めて高い。
(57)【要約】【課題】  テレビ、ビデオ等の映像を見る場合、鑑賞者が体を横にした状態では映像を斜めまたは横向きにしか見ることができないが液晶テレビモニター画面を９０度回転させ横にした状態でセットすることにより、療養中の患者、寝たきりのお年寄り、健常者がごろ寝の状態でも鑑賞を楽にできるようにする。 【解決手段】  液晶モニター画面を９０度回転させた状態で背板１に立てかけストッパー２でモニターがずり落ちないようにする、モニターの縦、横の大きさやデザインに合わせ背板および台座の部分は二重構造４にしてスライド調整可能にする。液晶モニターのコード類および突起部分については背板の無い部分３およびスライド調整により背板の裏側に逃がす。 【選択図】  図２
2007329660.tif 000002
【特許請求の範囲】
【請求項１】
小型液晶テレビを横にした状態で置けるようにしたラックに関するものである
【請求項２】
左右どちらでも使用可能な左右対称デザイン
【請求項３】
モニターの大きさ、形状、コード類および突起物がある場合でも設置可能な伸性デザイン
【発明の詳細な説明】
【技術分野】
【０００１】
本発明は、液晶テレビを横置きにすることで鑑賞者が体を横にした状態でもテレビ番組等の映像鑑賞をしやすくした液晶テレビ用ラックである。また本発明は左右対称のデザインでモニターを右向き、左向きでも設置可能である。
【発明の開示】
【発明が解決しようとする課題】
【０００２】
従来の液晶テレビは通常、垂直に設置するため鑑賞者が立った状態および座った状態で映像を見る場合には見辛いという支障はない。しかし鑑賞者が体を横にした状態で画面を見る場合には映像を斜め又は横向きにしか見ることができないため見辛いという欠点があった。
【課題を解決するための手段】
【０００３】
本発明は、コンパクトで薄型の液晶テレビを横にした状態（左向き又は右向き）で置くことで鑑賞者が体を横にした状態でもテレビ番組やビデオ等の映像鑑賞を見易くするための液晶テレビモニター用ラックで、それを図面について説明すれば背板１にテレビモニター本体を９０度回転させ横にした状態で立掛け、モニター本体がずり落ちないよう爪２と背板２の間にセットする。また液晶テレビモニター本体の大きさ、形状およびコード類が設置の障害となる場合は背板３（中央の背板のない部分）および二重構造４によりラックの大きさを変えることによりラックの裏側に逃がす事が可能である。安定性確保のためラックの底部、爪の内側および背板の内側にラバー製のすべり止めを装着する。
【発明の効果】
【０００４】
このラックを用いて小型液晶テレビモニターを９０度回転させた状態で置くことで寝たきりのお年寄りや病気療養で長期入院中の患者、小さな子供が患者の場合でもテレビ番組等の映像を楽に鑑賞できるようになる。ラックのデザインは左右対称なので右向きに寝た場合、左向きに寝た場合のどちらでも使用可能である。また寝たきりの状態の人に限らず健常人であっても就寝時、休息時に用いればより鑑賞が容易となり便利である。高齢化社会を迎えるなかお年寄りの娯楽、さらに若者の一人暮らしには場所も選ばず、うってつけのアイテムと成り得る。
【図面の簡単な説明】
【０００５】
【図１】ラックの正面図である
【図２】ラックの側面図である
【図３】イメージ図である
【符号の説明】
【０００６】
１  モニターを立てかけるための背板
２  モニターがずり落ちないようにするための爪（ストッパー）
３  背板なし（モニターのコード類および突起部分を逃がすため）
４  モニターの縦、横の大きさに合わせ伸縮可能なように背板および台座の部分はスライド式二重構造（斜線部分）
【図１】
2007329660.tif 000003
【図２】
2007329660.tif 000004
【図３】
2007329660.tif 000005
(57)【要約】【課題】  テレビ、ビデオ鑑賞において鑑賞者が体を横にした状態では長時間の鑑賞において見辛く不向きであったがモニター画面を横にすることで画面を見やすくし長時間の鑑賞も楽にできるようにする。 【解決手段】  液晶モニター画面を角度調整可能な専用スタンドに装着することにより水平、６０度、７５度、９０度等、任意の角度にモニターを回転させることが可能となる。【選択図】  図１
2007329659.tif 000002
【特許請求の範囲】
【請求項１】
小型液晶テレビモニターの画面を時計の針のように回す事ができる
【請求項２】
左右どちらでも使用可能なデザイン
【請求項３】
角度調整可能な可変式
【発明の詳細な説明】
【技術分野】
【０００１】
本発明は、液晶モニター画面を左右どちらにでも回転させることで鑑賞者が体を横にした状態でもテレビ番組等の映像鑑賞をしやすくした液晶モニター用スタンドである。また本発明は右回り左回りどちらでも回転可能であるため鑑賞者が左向き、右向きに寝ている場合、どちらでも使用可能である。
【発明の開示】
【発明が解決しようとする課題】
【０００２】
従来のテレビおよび液晶テレビは通常、垂直に設置して鑑賞するため鑑賞者が立った状態および座った状態で映像を鑑賞する場合には見辛いという支障はなかった。しかし鑑賞者が体を横にした状態で画面を見る場合には映像を斜め又は横向きにしか見ることができない。そのため見辛いという欠点があった。
【課題を解決するための手段】
【０００３】
本発明は、コンパクトで薄型の液晶テレビを時計の針のように回転可能な専用スタンドに装着しモニターを左回り又は右回りにすることで鑑賞者が体を横にした状態でもテレビ番組やビデオ等の映像鑑賞をし易くするための液晶テレビスタンドである。また角度調整機能により鑑賞者が体を横にした場合、首の角度に応じて好みの角度に調整が可能である。それを図面について説明すれば鑑賞者がモニターに対して正対している場合は正面図１で使用し、体を横にして鑑賞する場合は正面図２のように使用する。
【発明の効果】
【０００４】
このラックを用いてテレビモニター画面を任意の角度に回転させた状態で置くことにより寝たきりのお年寄りや病気療養で長期入院中の患者や幼児の入院患者もテレビ番組等の映像を楽に鑑賞できるようになる。ラックのデザインは左右対称で鑑賞者が右向きに寝た場合、左向きに寝た場合のどちらでも使用可能である。また寝たきりの状態の人に限らず健常人であっても就寝時、休息時に用いればより鑑賞がし易くなり便利である。高齢化社会を迎えるなかでお年寄りの娯楽として、さらにはワンルーム住まいの若者にとっても場所も選ばず、うってつけのアイテムと成り得る。
【図面の簡単な説明】
【０００５】
【図１】液晶モニターを左に８０度回転した状態の正面図である
【図２】液晶モニターを左に９０度回転した状態の正面図である
【図３】液晶モニターを装着し回転させていない正面図である
【符号の説明】
【０００６】
１  液晶テレビモニター
２  スタンド
【図１】
2007329659.tif 000003
【図２】
2007329659.tif 000004
【図３】
2007329659.tif 000005
(57)【要約】【課題】  近年、ＣＰＵの発熱量が増加している。それらＣＰＵを冷却する為に、より冷却効率の高い冷却装置が求められている。しかし冷却効率の高い水冷機構や液化ガス等はメンテナンス性、コスト面、現行システムとの親和性等措いて容易なものとは言えない。本発明はこれらの問題を改善し、且つ高い冷却効率を低コストで実現する為になされたものである。【解決手段】円柱体を芯５とし放熱フィン２を螺旋状に形成しその螺旋進行方向の外周部を何等かで覆い風導板６とする。【選択図】図３
2007329442.tif 000002
【特許請求の範囲】
【請求項１】
放熱フィンを螺旋状に形成しその螺旋進行方向外周部を何等かで覆い内部を通過する冷却媒体が回転外周方向へ放出するのを防ぐ機能を有したヒートシンク。
【発明の詳細な説明】
【技術分野】
【０００１】  本発明は放熱フィンを螺旋状に形成、その螺旋進行方向外周を何らかで覆い内部を通過する冷却媒体である空気を無駄なく冷却面に接している状態にする事により冷却効率向上を図ったものである。
【背景技術】
【０００２】  従来のＣＰＵヒートシンクは冷却媒体である空気を誘導する部分が無く放熱フィンは直線的な物が殆ど、その為図１や図２に示す様に冷却対象１との接触部周辺Ａやヒートシンク外側上部に無駄な気流が生じ冷却効率が高いとは言えない。
【発明の開示】
【発明が解決しようとする課題】
【０００３】  近年ＣＰＵの高周波数化に伴い発熱量が増加している。それらＣＰＵを冷却する為により冷却効率の高い冷却装置が求められている。しかし冷却効率の高い水冷機構や液化ガス等はメンテナンス性、コスト面、現行システムとの親和性等に措いて容易なものとは言えない。本発明はこれらの問題を改善し、且つ高い冷却効率を低コストで実現する為になされたものである。
【課題を解決するための手段】
【０００４】  構造の説明  図３・４参照
○円柱体を芯５とし放熱フィン２を螺旋状に形成する。
○螺旋進行方向外周部を何等かで覆い風導板６とする。
上記構造の螺旋部分加工例  図５・６参照
○材料となる円柱体７（複数分）を加工機８に対し回転させながら挿入。
※加工する角度、挿入速度、溝の本数により放熱フィンの形状、厚さ、枚数が変化。
○螺旋状に加工された加工済部分Ｂを任意の大きさに切断。
※図５・６では加工機８にグラインダー状の物を用いているが、溝状の切削が出来る物であれば何でも良い（放電ワイヤー加工機や鋼線を使用した切断機等）。
【発明の効果】
【０００５】○風導板６で外周部を覆った事により挿入された空気が逃げる事無く確実にヒートシンク内部を通過する為、熱変換効率が向上。
○放熱フィン２を螺旋状に配した事により気流に遠心力がかかり、尚且つ冷却対象との接触部周辺Ａでの気流の入射角が小さくなる為、無駄な気流の巻き込みが無くスムーズに熱を持った空気をヒートシンク内より排出することができる。
○図３のような加工方法を用いれば大量生産も容易でコストを抑えられる。
○基本的には空冷式なので電子部品との親和性も高くメンテナンスも容易。風導板６を脱着式にすればより一層メンテナンス性は高い。
【実施例１】
【０００６】
【図面の簡単な説明】
【０００７】
【図１】  従来の長方形型ヒートシンクの斜視図と断面図
【図２】  従来の円柱型ヒートシンクの斜視図と断面図
【図３】  本発明の斜視図（一部断面）
【図４】  本発明の側面図（一部断面）
【図５】  本発明の加工例の斜視図
【図６】  図５の加工部分の断面図
【符号の説明】
【０００８】Ａ  冷却対象との接触部周辺
Ｂ  加工済み部分
１  冷却対象
２  放熱フィン
３  送風装置
４  ヒートシンク底部
５  芯
６  風導板
７  円柱体
８  加工機
矢印  図１・２・３・４では空気の流れ
図５・６では材料である円柱体７の動き
【図１】
2007329442.tif 000003
【図２】
2007329442.tif 000004
【図３】
2007329442.tif 000005
【図４】
2007329442.tif 000006
【図５】
2007329442.tif 000007
【図６】
2007329442.tif 000008
(57)【要約】【課題】昨今、電子カルテ等の医療記録システムが普及してきたが、観察やその結果を入力するのは人手を要する。  そこで本発明の課題は観察や観察結果の入力を自動化して、医療従事者の負担を軽減させることを課題とする。【解決手段】本発明は患者の騒ぎを検出し、患者の様子を撮影及び集音の両方又はどちらか一方を行うモニタ手段を用いて、モニタ手段が患者の騒ぎを検出した時に騒いでいる患者を特定する処理と、特定された患者のレコードに撮影及び集音の両方又はどちらか一方のデータを追記する処理を行うことで自動的に記録更新を可能とする。【選択図】図１
2007011436.tif 000002
【特許請求の範囲】
【請求項１】
患者の騒ぎを検出し前記患者の様子を撮影及び集音の両方又はどちらか一方を行うモニタ手段を有し、
前記モニタ手段が患者の騒ぎを検出した時に騒いでいる患者を特定する処理と
、特定された患者の医療記録データに撮影及び集音の両方又はどちらか一方のデータを追記する処理を行うことを特徴とする医療記録システム。
【発明の詳細な説明】
【技術分野】
【０００１】
本発明は電子カルテに関する。
【背景技術】
【０００２】
精神科などでは、異常行動、その発症頻度、周期などが重要な診断材料になる。通常は医療従事者が観察して記録している。
【特許文献１】特開2003-248722
【発明の開示】
【発明が解決しようとする課題】
【０００３】
昨今、開示した特許文献のように、電子カルテが普及してきた。しかしながら、観察、入力自体は人手で行われている。    
【課題を解決するための手段】
【０００４】
そこで本発明は患者の騒ぎを検出し、患者の様子を撮影及び集音の両方又はどちらか一方を行うモニタ手段を用いて、
モニタ手段が患者の騒ぎを検出した時に騒いでいる患者を特定する処理と、特定された患者のカルテデータに撮影及び集音の両方又はどちらか一方のデータを追記する処理を行うことで自動的に記録更新を可能とする。
【発明の効果】
【０００５】
患者の観察、及び記録が自動的に行われるので、医療従事者の負担が軽減される。    
【発明を実施するための最良の形態】
【０００６】
図１は本発明の構成の一例である。  マイク（６）とカメラ（４）は病室内に設置される。  患者が騒ぐなどの異常行動をマイクで検出する。        
【０００７】
検出手段（７）はマイクからの検出信号を受けると、マイクが検出した音声信号と、カメラが撮影した映像信号に検出手段固有のIDを付してパーソナルコンピュータ１に送る。        
【０００８】
パーソナルコンピュータは検出手段からの信号を受けると、検出手段固有のIDから患者の特定を行う。        
【０００９】
次にパーソナルコンピュータは特定された患者のレコード（図３）に現在の日時、及び現在の日時に関連付けて映像データ、音声データを追記する。    
【図面の簡単な説明】
【００１０】
【図１】・・・本発明の構成例
【図２】・・・本発明のフローチャート
【図３】・・・患者のレコード書式例
【図１】
2007011436.tif 000003
【図２】
2007011436.tif 000004
【図３】
2007011436.tif 000005
(57)【要約】 【課題】  道路工事を行う際の警察に提出する道路工事許可申請用図面の作成方法を提供する。【解決手段】  工事する道路を斜視図で表し、工事用道路標識を設置する箇所を示すと、予め登録してある工事用標識が表示され、その何れか１つの工事用標識を選択すると、前記設置する箇所に表示されて工事用道路標識の図面が作成できる。【選択図】        図２
2007011644.tif 000002
【特許請求の範囲】
【請求項１】
工事する道路を斜視図で表し、工事用道路標識を設置する箇所を示すと、予め登録してある工事用標識が表示され、その何れか１つの工事用標識を選択すると、前記設置する箇所に表示されて工事用道路標識の図面を作成する方法。
【発明の詳細な説明】
【技術分野】
【０００１】
本発明は、道路工事を行うに当たって、警察に提出する道路工事許可申請用図面を作成することに関する。
【背景技術】
【０００２】
従来、道路工事を行うに当たって、警察に提出する道路工事許可申請用図面は、平面図である。
そこで、工事道路を作成するに当たって、手書きで行うか、パソコンによる図形処理ソフトウエアによって、図１に示すように、工事道路を含めた周囲の道路の平面図を作成する。
そして、この工事道路に必要な道路標識（図示略）を、手書きで書き込んだり、或は、パソコンを使用してサンプルデータを取り込む処理等を行って図面を作成する。
そのため、この平面図を見ると、工事区間が判り、且つ、表示する工事用道路標識が判る。
尚、この従来例は文献を列挙するまでもなく周知事項である。
【発明の開示】
【発明が解決しようとする課題】
【０００３】
しかし、道路を平面で示すと共に、工事用道路標識も平面で示すので、設置する道路標識に対するイメージが判り難い。そのため、許可側（警察署）も、更には工事用道路標識を設置する側にとっても、間違えて認識することもあるし、設置箇所も容易に認識できない。
そこで、本発明は、工事用標識をどこに設置し、且つ、有効な標識設置であるか否かを容易に認識できる図面を提供するものである。
【課題を解決するための手段】
【０００４】
工事する道路を斜視図で表し、工事用道路標識を設置する箇所を示すと、予め登録してある工事用標識が表示され、その何れか１つの工事用標識を選択すると、前記設置する箇所に表示されて工事用道路標識の図面が作成できる。
【発明の効果】
【０００５】
本願の発明は、工事する道路を作成するに当たって、容易に作成できるし、作成された図面によって、何処に、如何なる標識が設置されてあるか容易に判る。
【発明を実施するための最良の形態】
【０００６】
本発明の実施の形態について、図１、図２を参照して説明する。
図１は工事道路を含む周囲の道路図であり、図２は工事道路を斜視図で示すと共に、設置する工事用道路標識を選択して表示する、図面の製作過程を示す図である。
【０００７】
工事を実施するに当たって、工事許可を受けるために、警察署に道路工事の許可申請清書を提出しなければならない。この許可申請書には、工事道路、設置する標識、期間等、の所定項目を記載すると共に、図面を添付しなければならない。この図面には、図１に示すような工事道路の周囲の図面の他に、図２に示す工事区間の道路における工事用標識の種類と設置場所を記載したものがある。
【０００８】
図１の道路平面図は、工事箇所（Ａ〜Ｃ）を斜線で示していて、他の箇所と容易に区別可能になっている。又、この図面には設置してある信号が記載してあるし、迂回路も容易に判る。
尚、この図１の平面図は、パソコン、スキャナー、下記する必要な図面を得るためのソフトウエア等を用いる。
【０００９】
そこで、例えば、先ず、図面用ソフトウエアをパソコンで立ち上げ、そのソフトウエアで図面取り込む指令を与えた後に、道路地図をスキャナーで取り込む。そして、その取り込んだ図面を下地にして、必要な箇所をトレースすることで、ベクトルデータの図面として描くことができる。
尚、ソフトウエアには、ビットマップデータをベクトルデータに変換するソフトウエアもあり、このソウフトウエアを使用して作成することもできるし、この平面図をビットマップ形式のままで使用することであってもよい。
【００１０】
又、道路地図データとして市販されてい記憶媒体を使用する場合には、その記憶媒体から取り出して描くことができる。
尚、このようなことを可能にするソフトウエアは、種々市販されている。
【００１１】
次に、前記平面図に描かれている工事をする道路のみを抽出して斜視図化する。この斜視図化は、前記平面図を立体図に変更するソウフトウエアを使用してもよいし、平面図を参照して新たに斜視図を描いて作成してもよい。
【００１２】
次に、図２に示すように、前記斜視図化した図面をベースに、工事用道路標識を設置する箇所として、例えばＣ点を指定する。尚、この指定方法には、ソフトウエアによって異なるが、マウスをクリックする操作や直接指で指示する操作等で行う。
そして、このソフトウエアには、予め、種々の工事用道路標識の図面（Ｘ、Ｙ、Ｚ等）が作成してあると共に、このソフトウエアに付随する形で登録してある。
【００１３】
尚、この登録に形式は、ソフトウエアによって異なるが、「登録」という指示場所をマウスでクリックするとサンプル画として表示される形式や、前記工事用道路標識を設置する箇所（例えば、Ｃ点）をマウスクリックすると、プルダウン形式でサンプル画（Ｘ、Ｙ、Ｚ等）を表示する形式がある。
【００１４】
ここでは、前記プルダウン方式を採用してあるので、工事用道路標識を設置する箇所（Ｃ点）をマウスクリックすると、複数種の工事用道路標識（Ｘ、Ｙ、Ｚ等）が表示される。そして、このＣ点に設置する工事用道路標識（Ｘ、Ｙ、Ｚ等の何れか）をマウスクリックすると、その指定箇所に工事用道路標識が描かれる。尚、複数種の道路工事用標識を設置するときには、前記操作を繰り返す。
【００１５】
以上の操作を、工事用道路標識が必要な箇所に対して行うと、容易に、斜視図化された工事箇所の道路と共に、設置する道路工事用標識を描くことができる。  そして、描き終った後に、その画面をプリンタに出力することで、申請用図面を得ることができる。その結果、判り易い図面を作成することができる。
【図面の簡単な説明】
【００１６】
【図１】工事道路を含めた道路の平面図である。
【図２】工事道路の斜視図である。
【符号の説明】
【００１７】
Ａ、Ｂ、Ｃ  地点
Ｘ、Ｙ、Ｚ  工事用道路標識
【図１】
2007011644.tif 000003
【図２】
2007011644.tif 000004